(57)【要約】【課題】布団類の保温性を調整可能とすることにより、就寝中に気温が低下した場合に別に用意した布団類を使用しなければならない煩雑さを解消する。【解決手段】就寝時に掛け布団として使用される主たる布団類１の周辺部に、主たる布団類１の保温性を補完する補助的布団類２、３を結合し、該補助的布団類２、３は主たる布団類１の上に重なるように折り畳むことにより主たる布団類１の上から就寝者の体の少なくとも一部を覆う大きさを備える。主たる布団類１のみでは就寝者が寒さを感じるときに、補助的布団類２、３を主たる布団類１の上に重ねることにより、掛け布団としての保温性を高めることができる。このように、別の布団類を用意していなくても、主たる布団類に付随する補助的布団類によって掛け布団としての保温性を調整することができる。【選択図】図１
2013085636.tif 000002
【特許請求の範囲】
【請求項１】
就寝時に掛け布団として使用される主たる布団類の周辺部に、該主たる布団類の保温性を補完する補助的布団類を結合し、該補助的布団類は前記主たる布団類の上に重なるように折り畳むことにより主たる布団類の上から就寝者の体の少なくとも一部を覆う大きさを備えることを特徴とする補助的布団を備えた掛け布団。
【請求項２】
請求項１において、前記補助的布団類は、前記主たる布団類の両側に設けられることを特徴とする補助的布団を備えた掛け布団。
【請求項３】
請求項２において、前記両側の補助的布団類は、その保温性又は保温範囲が互いに異なるように設定されていることを特徴とする補助的布団を備えた掛け布団。
【請求項４】
請求項１乃至３のいずれかにおいて、前記補助的布団類は、前記主たる布団類に対して着脱自在に結合されていることを特徴とする補助的布団を備えた掛け布団。
【請求項５】
請求項１乃至４のいずれかにおいて、前記主たる布団類と前記補助的布団類との結合部は、就寝者の体を包み込むように膨らみを持って形成されていることを特徴とする補助的布団を備えた掛け布団。
【請求項６】
請求項１乃至５のいずれかにおいて、前記主たる布団類に前記補助的布団類が重ねられたとき、両者間を重なり状態で結合する結合部材を備えることを特徴とする補助的布団を備えた掛け布団。
【請求項７】
請求項１乃至６のいずれかにおいて、前記主たる布団類に前記補助的布団類が結合された状態で、その展開形状で動物、植物などを表すデザインが施されていることを特徴とする補助的布団を備えた掛け布団。
【発明の詳細な説明】
【技術分野】
【０００１】
本発明は、就寝具としての補助的布団を備えた掛け布団に関する。
【背景技術】
【０００２】
就寝具である布団、毛布等の布団類は、気温の変化に合わせて、その厚さや枚数を変えて保温性を調整することが一般的である。そのため、素材や厚さの異なる複数の布団類を用意して、就寝中の気温の変化に応じて、それらを単独、若しくは組合わせて使用している。
下記特許文献１には、就寝している人の首や肩を覆うことができるように付属品を掛け布団に固定したものが開示されている。
【先行技術文献】
【特許文献】
【０００３】
【特許文献１】特開平１１−１９２１４６号公報
【発明の概要】
【発明が解決しようとする課題】
【０００４】
しかし、就寝時に使用する主となる布団類の他に保温性を調整するための布団類を別に用意しておいて、就寝中に気温が低下した場合は別に用意した布団類を使用することは煩雑であり、煩雑さのために寒さを我慢することもあり、風邪を引く等体調を崩してしまうこともある。
本発明は、このような問題に鑑み、布団類の保温性を調整可能とすることにより、就寝中に気温が低下した場合に別に用意した布団類を使用しなければならない煩雑さを解消することを課題とする。
【課題を解決するための手段】
【０００５】
本発明の第１発明は、就寝時に掛け布団として使用される主たる布団類の周辺部に、主たる布団類の保温性を補完する補助的布団類を結合し、該補助的布団類は主たる布団類の上に重なるように折り畳むことにより主たる布団類の上から就寝者の体の少なくとも一部を覆う大きさを備えることを特徴とする。
第１発明によれば、主たる布団類の周辺部に補助的布団類が設けられているため、主たる布団類のみでは就寝者が寒さを感じるときに、補助的布団類を主たる布団類の上に重ねることにより、掛け布団としての保温性を高めることができる。また逆に、就寝者が暑さを感じるときは、補助的布団類を主たる布団類の上に重なった状態から主たる布団類の周辺部に移動させることにより、掛け布団としての保温性を低くして、就寝者の暑さを解消することができる。このように、別の布団類を用意していなくても、主たる布団類に付随する補助的布団類によって掛け布団としての保温性を調整することができる。
【０００６】
本発明の第２発明は、上記第１発明において、前記補助的布団類は、主たる布団類の両側に設けられることを特徴とする。
第２発明によれば、補助的布団類が主たる布団類の両側にそれぞれ設けられているため、各補助的布団類を個別に主たる布団類に重ねることにより、更に細かく掛け布団としての保温性を調整することができる。
【０００７】
本発明の第３発明は、上記第２発明において、前記両側の補助的布団類は、その保温性又は保温範囲が互いに異なるように設定されていることを特徴とする。
第３発明によれば、主たる布団類の両側の補助的布団類がその保温性や保温範囲が互いに異なるように設定されているため、就寝者が必要とする保温性や保温範囲に応じて、保温性や保温範囲が適当な補助的布団類を選択して主たる布団類に重ねることにより、更に細かく掛け布団としての保温性を調整することができる。
【０００８】
本発明の第４発明は、上記第１乃至第３発明のいずれかにおいて、前記補助的布団類は、主たる布団類に対して着脱自在に結合されていることを特徴とする。
第４発明によれば、補助的布団類は主たる布団類に対して着脱自在に結合されているため、補助的布団類を主たる布団類から任意に取りはずして、各布団類を個別に洗濯したり、天日干ししたりメンテナンスすることができる。また、個別に保管収納することができる。このため、主たる布団類と補助的布団類とを一体のままメンテナンスする場合に比べて作業性を良くすることができる。また、主たる布団類と補助的布団類とを一体のまま収納する場合に比べて小さなスペースに個別に収納することができる。
【０００９】
本発明の第５発明は、上記第１乃至第４発明のいずれかにおいて、前記主たる布団類と補助的布団類との結合部は、就寝者の体を包み込むように膨らみを持って形成されていることを特徴とする。
第５発明によれば、主たる布団類と補助的布団類との結合部が就寝者の体を包み込むように膨らみを持って形成されているため、就寝者の体が大きい場合でも、掛け布団全体を大きくすることなく、就寝者の体が掛け布団から食み出さないようにすることができる。
【００１０】
本発明の第６発明は、上記第１乃至第５発明のいずれかにおいて、前記主たる布団類に補助的布団類が重ねられたとき、両者間を重なり状態で結合する結合部材を備えることを特徴とする。
第６発明によれば、主たる布団類に補助的布団類が重ねられた状態で結合されるため、主たる布団類に補助的布団類が重ねられた状態を継続的に維持することができ、重ねられた状態で一つの掛け布団として継続して使用したいときに、使用の都度、主たる布団類に補助的布団類を重ねる操作を不要とすることができる。
【００１１】
本発明の第７発明は、上記第１乃至第６発明のいずれかにおいて、前記主たる布団類に補助的布団類が結合された状態で、その展開形状で動物、植物などを表すデザインが施されていることを特徴とする。
第７発明によれば、主たる布団類に補助的布団類が結合された状態で、その展開形状で動物、植物などを表すデザインが施されているため、デザインにより可愛らしさや楽しさを付加することができ、商品性を高めることができる。
【図面の簡単な説明】
【００１２】
【図１】本発明の一実施形態を示す斜視図である。
【図２】上記実施形態の一つの使用形態を示す斜視図である。
【図３】上記実施形態の分解斜視図である。
【発明を実施するための形態】
【００１３】
本発明の一実施形態を図面に基づいて説明する。
就寝時に掛け布団として使用される主たる布団類１の両側（周辺部）には、主たる布団類１の保温性を補完する補助的布団類２、３が結合されている。補助的布団類２、３は主たる布団類１の上に重なるように折り畳むことにより主たる布団類１の上から就寝者（不図示）の体の腹部を覆う大きさを備えている。この場合、図１において主たる布団類１の左側に就寝者の頭部がくるように使用される。また、この場合、主たる布団類１及び補助的布団類２、３は共に中綿の布団であるが、それぞれ毛布、タオルケット等の寝具でも良い。
【００１４】
図３から明らかなように、主たる布団類１と補助的布団類２、３との結合は、それらの結合面に取り付けられた面ファスナ１１、１２、２１、３１によって行われる。面ファスナ１１は、主たる布団類１の下面左側に左側の補助的布団類２の長さに相当する領域に３個が分散して固定され、面ファスナ１２は、主たる布団類１の下面右側に右側の補助的布団類３の長さに相当する領域に３個が分散して固定されている。それらの面ファスナ１１、１２に対応する面ファスナ２１及び面ファスナ３１は、左側の補助的布団類２及び右側の補助的布団類３の上面にそれぞれ固定されている。従って、面ファスナ１１と２１、面ファスナ１２と３１を、それぞれ結合させることにより、補助的布団類２、３は主たる布団類１の下面に固定される。
この実施形態では、主たる布団類１と補助的布団類２、３との結合を面ファスナ１１、１２、２１、３１によって行っており、面ファスナは一般的に結合の解除操作は容易である反面、結合中は容易には外れない性能を備え、しかも極めてコンパクトであるため、主たる布団類１と補助的布団類２、３とを結合して使用する場合も、分離して別々に使用する場合も、面ファスナの存在に影響されることなく使用することができる。
【００１５】
以上のように、主たる布団類１の両側に補助的布団類２、３が設けられているため、主たる布団類１のみでは就寝者が寒さを感じるときに、補助的布団類２、３を主たる布団類１の上に折り畳んで重ねることにより、掛け布団としての保温性を高めることができる。また逆に、就寝者が暑さを感じるときは、補助的布団類２、３を主たる布団類１の上に重なった状態から主たる布団類１の両側に跳ね除けて移動させることにより、掛け布団としての保温性を低くして、就寝者の暑さを解消することができる。このように、別の布団類を用意していなくても、主たる布団類１に付随する補助的布団類２、３によって掛け布団としての保温性を調整することができる。
また、補助的布団類２、３が主たる布団類１の両側にそれぞれ設けられているため、各補助的布団類２、３を個別に主たる布団類１に重ねることにより、更に細かく掛け布団としての保温性を調整することができる。
【００１６】
更に、補助的布団類２、３は主たる布団類１に対して面ファスナ１１、１２、２１、３１により着脱自在に結合されているため、補助的布団類２、３を主たる布団類１から任意に取りはずして、各布団類を個別に洗濯したり、天日干ししたりメンテナンスすることができる。また、個別に保管収納することができる。このため、主たる布団類１と補助的布団類２、３とを一体のままメンテナンスする場合に比べて作業性を良くすることができる。また、主たる布団類１と補助的布団類２、３とを一体のまま収納する場合に比べて小さなスペースに個別に収納することができる。
このように図示の実施形態では、主たる布団類１と補助的布団類２、３とは各面ファスナ１１、１２、２１、３１によって着脱自在に固定されているが、主たる布団類１と補助的布団類２、３とを糸で縫合する等、容易に分離しないように固定しても良い。
【００１７】
図２から明らかなように、補助的布団類２、３は主たる布団類１の上に多重に重なるように折り畳むことができ、その状態で、補助的布団類２、３を固定できるように、面ファスナ１３、３２、３３、２２が主たる布団類１及び補助的布団類２、３にそれぞれ固定されている。面ファスナ１３は、主たる布団類１の上面左側に補助的布団類３の長さに相当する領域に２個が分散して固定され、面ファスナ３２は、主たる布団類１の上に重ねられた補助的布団類３の面ファスナ１３に対応する位置に２個が固定されている。また、面ファスナ３３は、主たる布団類１の上に重ねられた補助的布団類３の上面右側に補助的布団類２の長さに相当する領域に２個が分散して固定され、面ファスナ２２は、補助的布団類３の上に更に重ねられた補助的布団類２の面ファスナ３３に対応する位置に２個が固定されている。
このように、主たる布団類１に補助的布団類２、３が重ねられた状態で結合されるため、主たる布団類１に補助的布団類２、３が重ねられた状態を継続的に維持することができ、重ねられた状態で一つの掛け布団として継続して使用したいときに、使用の都度、主たる布団類１に補助的布団類２、３を重ねる操作を不要とすることができる。
【００１８】
両側の補助的布団類２、３は、その保温性又は保温範囲が互いに異なるように設定することができる。図３では、補助的布団類２に代えてＬサイズの補助的布団類４を主たる布団類１に固定可能としている。このようにすることにより、主たる布団類１の両側の補助的布団類３、４がその保温性や保温範囲が互いに異なるように設定されるため、就寝者が必要とする保温性や保温範囲に応じて、保温性や保温範囲が適当な補助的布団類３、４を選択して主たる布団類１に重ねることにより、更に細かく掛け布団としての保温性を調整することができる。
【００１９】
また、図１から明らかなように、主たる布団類１と補助的布団類２、３との結合部は、就寝者の体を包み込むように膨らみ２ａ、３ａを持って形成されている。このようにすれば、主たる布団類１と補助的布団類２、３との結合部に膨らみ２ａ、３ａがあるため、就寝者の体が大きい場合でも、掛け布団全体を大きくすることなく、就寝者の体が掛け布団から食み出さないようにすることができる。
【００２０】
本発明は、上記実施形態で説明した外観、構成に限定されず、本発明の要旨を変更しない範囲で種々の変更、追加、削除が可能である。例えば、
１．上記実施形態では補助的布団類は主たる布団類の両側に設けたが、主たる布団類の片側のみに設けても良い。また、補助的布団類は主たる布団類の片側に複数枚設けても良い。
２．上記実施形態では主たる布団類及び補助的布団類として、一人で使用するシングル仕様を想定しているが、所謂セミダブルやダブル仕様としても良い。なお、セミダブルやダブル仕様としても布団類の大きさが変わるのみで構造は変えなくても良い。
３．就寝者の足部の保温性を高めることが可能なように、主たる布団類１の後端部（足部）に補助的布団類を結合しても良い。
４．主たる布団類１に補助的布団類２、３が結合された状態で、その展開形状で昆虫、動物などを表すデザインを施すことができる。例えば、蝶のデザインとする場合は、主たる布団類１を蝶の胴体、また補助的布団類２、３を蝶の羽根となるように、形、色、模様を設定する。或いは、象のデザインとする場合は、主たる布団類１を象の顔、また補助的布団類２、３を象の耳となるように、形、色、模様を設定する。更に、天使のデザインとする場合は、主たる布団類１を天使の胴体及び顔、また補助的布団類２、３を天子の羽となるように、形、色、模様を設定する。このようにすることにより、デザインにより可愛らしさや楽しさ等を付加することができ、商品性を高めることができる。
【符号の説明】
【００２１】
１    主たる布団類
１１、１２、１３  結合部材
２    補助的布団類（左側）
２１、２２  結合部材
２ａ  膨らみ
３    補助的布団類（右側）
３１、３２、３３  結合部材
３ａ  膨らみ
４    補助的布団類（Ｌサイズ）
【図１】
2013085636.tif 000003
【図２】
2013085636.tif 000004
【図３】
2013085636.tif 000005